(57)【要約】　　【課題】　部屋の床を傷付けることのない薄畳の敷設構造及びその方法を提供する。　　【解決手段】　部屋の床Ｆの上に薄畳１００を敷き込む前に、床Ｆの上にシート材料１０２を敷き込み、このシート材料１０２の上に接着剤１０４を介して薄畳１００を固定する。シート材料１０２としては、比較的破れ難い可撓性材料であればよく、必ずしも防湿及び／又は防虫の機能を備えていなくてもよい。　　【選択図】　図１
2004003379.tif 000002
【特許請求の範囲】
【請求項１】
部屋の床の上に敷設され、該床の薄畳を敷設する領域のほぼ全領域に亘って延びる一枚のシート材料と、
　該シート材料の上に敷設された複数枚の薄畳と、
　該薄畳を前記シート材料に接着する接着剤とを有する薄畳の敷設構造。
　該シート材料の上に敷設された複数の薄畳と、
　該薄畳を前記シート材料に接着する接着剤とを有する薄畳の敷設構造。
【請求項２】
部屋の床の上に敷設された複数枚のシート材料と、
　該シート材料の上に敷設された複数枚の薄畳と、
　該薄畳を前記シート材料に接着する接着剤とを有し、
　前記シート材料の各々が少なくとも隣接する２枚の薄畳に亘って広がる大きさを有することを特徴とする薄畳の敷設構造。
【請求項３】
互いに部分的に重ね合わせた状態で部屋の床の上に敷設された複数枚のシート材料と、
　該シート材料の上に敷設された複数枚の薄畳と、
　該薄畳を前記シート材料に接着する接着剤とを有する薄畳の敷設構造。
【請求項４】
前記シート材料が養生シートからなる、請求項１乃至３のいずれか一項に記載の薄畳の敷設構造。
【請求項５】
部屋の床の上に、該床の薄畳を敷設する領域とほぼ同じ大きさの一枚のシート材料を敷く工程と、
　裏面に接着剤が設けられた複数枚の薄畳を前記シート材料の上に敷設する工程とを有し、
　該薄畳を前記シート材料に接着させることを特徴とする薄畳の敷設方法。
【請求項６】
部屋の床の上に複数枚のシート材料を敷設する工程と、
　裏面に接着剤が設けられた複数枚の薄畳を、隣接する少なくとも２枚の薄畳が一枚の前記シート材料の上に跨るようにして前記シート材料の上に敷設する工程とを有する薄畳の敷設方法。
【請求項７】
部屋の床の上に複数枚のシート材料を互いに部分的に重ね合わせて敷設する工程と、
　裏面に接着剤が設けられた複数枚の薄畳を前記シート材料の上に敷設する工程とを有する薄畳の敷設方法。
【請求項８】
前記接着剤が前記薄畳の裏面に貼着された両面接着テープで構成されている、ことを特徴とする請求項５乃至７のいずれか一項に記載の薄畳の敷設方法。
【請求項９】
前記シート材料が養生シートからなる、請求項５乃至８のいずれか一項に記載の薄畳の敷設方法。
【発明の詳細な説明】
【技術分野】
【０００１】
　この発明は、薄畳の敷設構造及びその方法に関する。
【背景技術】
【０００２】
　伝統的に日本家屋の床面は畳が用いられてきているが、近時は、洋間の床面の一部分に畳を敷いて、これをカーペット代わり使うなど様々な使い方が提案されている。
【０００３】
　また、畳床の材料として、伝統的なワラに代えて、中空積層板や木製又は樹脂の薄板を用いたものが一般化しているのが実状である。また、畳の厚みについても、その厚みが２０ｍｍ以下の比較的薄い薄畳が出現している。
【０００４】
　薄畳の特有の問題として、部屋に敷設した後、経時的に反りが発生し易いと言う問題がある。このような問題に対処すべく、部屋に薄畳を敷設する際に、薄畳の裏面に接着剤を設けておき、この薄畳を部屋の床の上に敷設することによって、薄畳を部屋の床に直接的に接着させたり、部屋の床の上に薄畳を敷設した後に、釘を用いて部屋の床に薄畳を打ち付けることにより、上述した「反り」を抑えることが行われてきた。
【発明の開示】
【発明が解決しようとする課題】
【０００５】
　しかしながら、従来のやり方では、部屋の床を結果的に傷付けるものであり、例えばフローリングの上に薄畳を敷設したときには、その模様代えのために薄畳を取り外したときには、部屋の床の修復に時間と労力を必要とするという問題を有していた。
　そこで、本発明の目的は、部屋の床を傷付けることのない薄畳の敷設構造及びその方法を提供することにある。
【課題を解決するための手段】
【０００６】
　上記の技術的課題は、本発明の一つの局面によれば、部屋の床の上に敷設され、該床の薄畳を敷設する領域のほぼ全領域に亘って延びる一枚のシート材料と、
　該シート材料の上に敷設された複数枚の薄畳と、
　該薄畳を前記シート材料に接着する接着剤とを有する薄畳の敷設構造を提供することによって達成される。
【０００７】
　上記の技術的課題は、本発明の他の局面によれば、部屋の床の上に、該床の薄畳を敷設する領域とほぼ同じ大きさの一枚のシート材料を敷く工程と、
　裏面に接着剤が設けられた複数枚の薄畳を前記シート材料の上に敷設する工程とを有し、
　該薄畳を前記シート材料に接着させることを特徴とする薄畳の敷設方法を提供することによって達成される。
【０００８】
　本発明に従う薄畳の敷設構造及びその方法によれば、典型的には、図１に示すように、部屋の床Ｆの上に薄畳１００を敷き込む前に、床Ｆの上にシート材料１０２を敷き込み、このシート材料１０２の上に接着剤１０４を介して薄畳１００を固定することを特徴とする。本発明に適用可能なシート材料１０２としては、比較的破れ難い可撓性材料であればよく、必ずしも防湿及び／又は防虫の機能を備えていなくてもよい。
【０００９】
　この業界では、防湿などを目的としたシート材料１０２を養生シートと呼んでいるが、本発明に適用可能なシート材料として、この養生シートを用いるのが現実的である。床Ｆの上に敷くシート材料１０２は、薄畳１００を敷き込む領域全体を占める一枚のシートであってもよいが、この薄畳１００を敷き込む領域が例えば６畳などの比較的大きな面積である場合には、複数枚のシート材料１０２を床の上に敷設すればよい。この場合、例えば一枚のシート材料１０２が薄畳１００の大きさよりも小さいかこれに等しい場合或いは薄畳１００よりも大きいときには、隣接する少なくとも２枚以上の薄畳１００が同じシート材料１０２を共有するようにシート材料１０２を敷き込むようにすればよい。これにより例えば一枚の薄畳１が反り返る傾向にあったとしても、隣接する薄畳１００の重みでシート材料１０２の変位を抑えることから、シート材料１０２の上に敷設した薄畳１００は、互いにシート材料１０２の変位を防止し合って、結局、薄畳１００の反り返りを抑制することになる。
【００１０】
　床Ｆの上に複数枚のシート材料１０２を敷設する際に、シート材料１０２同士の周縁部分を隣接するシート材料１０２の周縁部分と互いに重ね合わせるのが好ましい。このように互いに部分的に重ね合わせて複数枚のシート材料１０２を敷き込むことによって、シート材料１０２間に隙間が発生して、薄畳１００の底面つまり下面が床Ｆと直接的に接触することを的確に防止することができる。
【発明を実施するための最良の形態】
【００１１】
　図２において、参照符号１は、縁帯を備えていない縁無し薄畳を示す。この縁無し薄畳１は、天然藺草又は合成樹脂製品からなる畳表２と、発泡体を主体とした畳床３とを有し、この畳表２と畳床３とは接着剤４で一体化されている。
【００１２】
　この縁無し薄畳１は、最も好ましくは、加熱プレス加工した天然藺草の畳表２を用いるのがよい。プレス加工を施すことによって、折りしわ、織成ムラが消失して品質が安定するという利点がある。特に、天然藺草を用いた畳表の場合には、加熱プレスの効果によって天然藺草の内部から葉緑素が浸出するので、これにより染色時の色ムラを低減することができるという利点がある。畳表２は、畳床３の表面の全領域に塗布した接着剤４で接着されており、これに使用する接着剤４としては、ホルムアルデヒドなどの有害物質を発生せず、また柔軟性を備え且つ接着力が強いという理由からホットメルト接着剤を採用するのが好ましく、最も好ましくは、耐熱性のあるホットメルト剤であるのがよい。加熱プレスした藺草を用いることによって、縁無し薄畳１の平坦性を向上することができるという利点がある。
【００１３】
　縁無し薄畳１は、畳表２の縁が全周に亘って面取りされ、この面取り部分５を含む畳１の框及び幅の周面は、畳表２の面取り部分５を含めて塗布した保護膜６が形成されている。この保護膜６は、畳表及び畳床にある程度染み込んで固化する例えば天然ゴム系やラテックス系の樹脂であるのがよい。縁無し薄畳１は、畳表２の縁を框及び幅の全周に亘って面取りすることによって、畳１を敷設したときの見栄えを向上することができる。また、縁無し薄畳１の框及び幅の全ての周面を保護膜６で被覆することよって、畳表２の「ほつれ」や「毛羽立ち」或いは「剥離」を防止することができる。
【００１４】
　縁無し薄畳１の作り方を説明すると、以下のとおりである。
　（１）畳床３の表面の全面に接着剤４を塗布する；
　（２）畳床３の上に畳表２を接着する；
　（３）一体化した畳表２と畳床３を、例えば一畳や半畳のように定形的な大きさ、或いは敷設する部屋を採寸して割り出した大きさに切断する；
　（４）畳表２の縁を全周に亘って面取りする（図３）；
　（５）框及び幅の全ての周面にラテックス系樹脂などを塗布して保護膜６を形成する（図４）。
【００１５】
　以上の製造方法の説明から理解できるとおり、畳職人でなくとも、薄畳１を作ることができ、また、工程数も従来に比べて少ないことから製造コストを低減することができ、安価に薄畳１を提供することができる。
【００１６】
　図２は、縁無し薄畳１の利用方法を例示するものであり、畳表２の目の配列及び幾何学形状の組み合わせに意外性を与えることのできる敷設例を例示するものである。この例は、これから敷設しようとする部屋や洋間の敷設するスペースを採寸して、この採寸したデータから割り出して個々の畳の大きさ及び形状を決定
した後に、個々の縁無し薄畳１を製造したものである。勿論、大量生産するために規格化した縁無し薄畳１を敷設現場まで運び、この現場で、薄畳１を適当に切断することにより、図２のように薄畳１を敷き込むようにしてもよい。ここに例示した薄畳１は、畳床３の全面に畳表２が接着されているため、薄畳１の任意の部分を切断することができる。薄畳１を切断することにより新たに露出した切断面は、図３に示すように畳表２の縁を面取りした後に、適当な接着剤を塗布することにより保護膜６で被覆すればよい（図４）。このような一連の作業は、畳職人でなくとも素人で十分に対応可能である。従って、図２のような特殊の敷き方であったとしても、これを行うために畳職人は不要であり、素人仕事で十分に対応可能である。
【００１７】
　薄畳１は、以下のように、今までとは異なるルートで一般人に提供することができる。すなわち、例えば一畳や半畳など任意の大きさに規格化した縁無し薄畳１を大量に製造して、これを一般人に販売し、これを購入した人は、好きな形状や大きさに切断して例えば洋間のフローリングの一部分を畳敷きにすることができる。
【００１８】
　このような作業は、先に説明したのと同様に、薄畳１を切断することにより新たに露出した切断面は、畳表２の縁を面取りした後に適当な接着剤を塗布することにより保護膜６で被覆すればよいので、素人であっても十分に対応可能である。必要であれば、切断用具及び保護膜６を作るための樹脂材料をセットにして販売すればよい。また、所望であれば、縁無し薄畳１を敷設するときに、特開平９−１９５４８５号公報に記載のような後付け用の縁帯部材を取り付けてもよい。
【００１９】
　縁無し薄畳１を敷設した後に発生する可能性のある「反り」の問題は、例えば工場出荷時に、例えば図５に示すように、剥離テープ（図示せず）を備えた両面接着テープ７を貼着しておくと共に、現場で、縁無し薄畳１を敷設する前に、図６にも例示するように、部屋の床Ｆに、複数枚の養生シート８を互いに部分的に重ね合わせて敷き、その上に縁無し薄畳１を両面接着テープ７で固定するのが部屋の床Ｆを傷めることがないという利点がある。ここに、「養生シート」という呼び名は、当業者間で一般的に使用されている用語であり、畳の下に敷くための、防湿及び／又は防虫機能を備えた可撓性の薄いシート材料である。
【００２０】
　この実施例のように、薄畳１を養生シート８を介して、床Ｆの上に敷設すると共に、この養生シート８に対して接着剤を介して固定するものであることから、例えば洋間のフローリングの全面または部分的に複数の畳１を敷設したとしても、この薄畳１を、直接、フローリングに固定するものではないので、模様替えなどの目的で部屋から薄畳１を取り除いたとしても、部屋の復元に際して何ら問題を残すことはない。また、複数枚の養生シート８を部分的に重ね合わせて床Ｆの上に敷いてあるため、これに固定した薄畳１の反り返りを確実に防止することができる。
【図面の簡単な説明】
【００２１】
【図１】本発明の原理を示す説明図
【図２】例示としての薄畳の敷き方の一例を示す平面図
【図３】薄畳の畳表の縁の面取りを説明するための部分断面図
【図４】縁無し薄畳の框又は幅の縁部分の部分断面図
【図５】縁無し薄畳の底面に貼着した両面接着テープの配置を例示するための平面図
【図６】縁無し薄畳の他の敷き方を例示すると共に、薄畳を敷く前に部屋の床に敷いた養生シートの敷き方を例示するための説明図
【符号の説明】
【００２２】
　　　　１　　縁無し薄畳
　　　　２　　畳表
　　　　３　　畳床
　　　　４　　接着剤
　　　　５　　畳表の面取り部分
　　　　６　　保護膜
　　　　７　　両面接着テープ
　　　　８　　養生シート
　　　　Ｒ　　部屋の床
【図１】
2004003379.tif 000003
【図２】
2004003379.tif 000004
【図３】
2004003379.tif 000005
【図４】
2004003379.tif 000006
【図５】
2004003379.tif 000007
【図６】
2004003379.tif 000008